(57)【要約】【課題】  内部に浸水があった場合にも、基地局装置としての機能をできる限り維持し、サービスを継続させることのできる基地局装置を提供する。【解決手段】  筐体内に、隔壁１１によって隔てられ、互いに水密又は気密状態とされる複数の格納室１２を備え、これら格納室ごとに複数の通信装置３０を配してなる基地局装置である。【選択図】        図１
2005197284.tif 000002
【特許請求の範囲】
【請求項１】
隔壁によって隔てられ、互いに水密又は気密状態とされる複数の格納室を備えた筐体と、
前記筐体の前記各格納室ごとに配置された複数の通信装置と、
を備えてなる基地局装置であって、
前記格納室のそれぞれには、当該格納室の浸水を検出する検出器を有してなることを特徴とする基地局装置。
【請求項２】
請求項１に記載の基地局装置において、
前記検出器により、前記格納室のいずれかへの浸水が検出された場合に、当該浸水が検出された格納室内の通信装置の動作を停止制御する制御装置を有していることを特徴とする基地局装置。
【請求項３】
請求項２に記載の基地局装置において、
前記各通信装置は、通信に係る情報を保持するバッファを備えており、
前記制御装置は、いずれかの通信装置の動作を停止させる際に、当該動作を停止させる通信装置のバッファ内の情報を、他の通信装置に出力して当該情報に係る通信を継続させることを特徴とする基地局装置。
【請求項４】
請求項１から３のいずれか一項に記載の基地局装置において、
前記複数の通信装置に接続され、当該複数の通信装置によって共用される回路要素を備え、当該回路要素は、前記格納室よりも、筐体上方に配置されることを特徴とする基地局装置。
【発明の詳細な説明】
【技術分野】
【０００１】
本発明は、携帯電話機システムやＰＨＳ等における基地局装置に関する。
【背景技術】
【０００２】
携帯電話機システムなどの基地局装置は通常、屋外に配備されている。このため、雨水などが装置内部に入り込まないよう、筐体の目地にはガスケットやパッキンなどを配して浸水を防止している。
【０００３】
なお、特許文献１には、筐体の浸水検知構造において、前記筐体の設置状態で底になる筐体内壁面に傾斜をもたせるとともに筐体内に侵入する水が当該傾斜を伝い流れ込む窪みを形成し、前記窪み内に漏水センサを配置した筐体の漏水検知構造が記載されている。
【特許文献１】特開平１１−１３５９５５号公報
【発明の開示】
【発明が解決しようとする課題】
【０００４】
しかしながら、上記従来の基地局装置においても、例えば修理等で設置場所で筐体を開けて作業し、再び筐体を閉じることがある。この際、修理担当者の気がつかないうちに、ガスケットやパッキンが変形するなどして、その水密・気密性に影響がでる場合がある。さらに筐体構造の経時劣化によっても水密・気密性に影響があることがある。
【０００５】
本発明は上記実情に鑑みて為されたもので、内部に浸水があった場合にも、基地局装置としての機能をできる限り維持し、サービスを継続させることのできる基地局装置を提供することを、その目的の一つとする。
【課題を解決するための手段】
【０００６】
上記従来例の問題点を解決するための本発明は、基地局装置であって、隔壁によって隔てられ、互いに水密又は気密状態とされる複数の格納室を備えた筐体と、前記筐体の前記各格納室ごとに配置された複数の通信装置と、を備えてなる。これにより、いずれか一つの格納室内に浸水しても、他の格納室内の通信装置は影響されず、基地局装置としての機能をできる限り維持し、サービスを継続させることができる。
【０００７】
ここで前記格納室のそれぞれには、当該格納室の浸水を検出する検出器を有してなることとしてもよい。また前記検出器により、前記格納室のいずれかへの浸水が検出された場合に、当該浸水が検出された格納室内の通信装置の動作を停止制御する制御装置を有してもよい。さらに前記各通信装置は、通信に係る情報を保持するバッファを備えており、前記制御装置は、いずれかの通信装置の動作を停止させる際に、当該動作を停止させる通信装置のバッファ内の情報を、他の通信装置に出力して当該情報に係る通信を継続させることとしてもよい。さらに前記複数の通信装置に接続され、当該複数の通信装置によって共用される回路要素を備え、当該回路要素は、前記格納室よりも、筐体上方に配置されてもよい。
【発明を実施するための最良の形態】
【０００８】
本発明の実施の形態について図面を参照しながら説明する。本発明の実施の形態に係る基地局装置の筐体は、ケース１０を含み、このケース１０内部には、図１に示すように、ケース１０の外壁の一部と、隔壁１１ａ，１１ｂとによって画成され、この隔壁１１ａによって互いに水密又は気密状態となる複数の格納室１２ａ，ｂ，…ｎを含む。各格納室の天面の隔壁１１ｂには、コネクタ等を内部から導出するための凸部が形成されている。この隔壁１１ｂもまた、ケース１０上部の空間との間で互いに水密又は気密状態となるよう構成されている。また、ケース１０の外壁内部には、ガスケットを設けてあり、ケースの蓋（不図示）との間の目地からの浸水を防止している。
【０００９】
なお、ここで各格納室１２を水密又は気密の状態とする方法としては、隔壁１１ａ，ｂ内部など、各格納室と蓋部と間の目地にもガスケットを用いたり、各格納室１２ごとに個別の蓋を設置したり、コネクタを導出する開口をシールするなど、通常の防水施工方法を採用することができる。
【００１０】
これら基地局装置内の各格納室１２には、それぞれ通信装置３０が格納される。この通信装置３０には、浸水検出器としての水センサ４０が接続されており、この水センサ４０は、通信装置３０に含まれる回路の筐体内下端よりも低い位置であって、例えば各格納室１２の底面近傍に設置される。なお、水センサ４０は、格納室１２の底面に接触しないように、熱電導性の低い素材を用いて形成した保持部材によって保持しておく。これにより、格納室１２の底面に生じ得る結露を浸水と誤判断することがなくなる。また、保持部材の素材を熱電導性の低いものとしておくことで当該保持部材自体に結露が生じることを防止している。
【００１１】
通信装置３０は、図２に示すように、制御部３１と、情報記憶部３２と、プログラム記憶部３３と、通信部３４とを主として含んで構成されている。またこれら通信装置３０は、サーキュレータや分波器など、各通信装置３０によって共用される回路要素５０を介して公衆回線網に接続されている（図１参照）。
【００１２】
なお、ここで本実施の形態において特徴的なことの一つは、この回路要素５０が格納室１２よりも筐体上方側に配置されることである。これにより筐体内で浸水を検出したとき（筐体内部に浸水が生じているとき）にも、当該回路要素５０部分が水没するまでの時間を稼ぐことができるようになっている。
【００１３】
ここで通信装置３０の動作について説明する。制御部３１は、プログラム記憶部３３に格納されているプログラムに従って動作しており、通常の状態（水センサ４０が浸水を検出していない状態）では、通常の基地局としての動作を行っている。具体的には、通信部３４にて受信される移動局側からの信号を復調して情報を取り出し、この取り出した情報を情報記憶部３２にバッファし、このバッファした情報を回路要素５０を介して公衆回線網側に出力する動作を行っている。また、公衆回線網から回路要路５０を介して情報を受信して情報記憶部３２にバッファしておき、このバッファした情報を変調して通信部３４に出力し、別の周波数の搬送波に乗せて、移動局側に送出させるなどの動作を行っている。
【００１４】
またこの制御部３１は、水センサ４０が浸水を検出したことを示す信号を出力している状態では、浸水を管理者側に報知するとともに、同一筐体内の他の通信装置３０に浸水を報知する等の処理（浸水時処理）を実行している。この浸水時処理の具体的内容については後に詳しく述べる。
【００１５】
情報記憶部３２は、通信に係る情報を保持するバッファとして動作している。この情報記憶部３２には従って現在通信中の情報が格納されている。プログラム記憶部３３は、制御部３１によって実行されるプログラムが格納されている。
【００１６】
通信部３４は、制御部３１から入力される指示に従って動作しており、アンテナＡＮＴに到来した信号を受信して制御部３１に出力し、また制御部３１から入力される信号をアンテナＡＮＴを介して放射する動作を行っている。
【００１７】
ここで制御部３１の浸水時処理の具体的内容について説明する。制御部３１は、浸水が検出された旨の信号が入力されると、同一筐体内の他の通信装置３０のいずれか一つ（予め定めたものであってもよいし、所定の支援要求信号を出力して最も早く支援可能の応答を返答したものであってもよい）に対して情報記憶部３２に格納されている情報を送出する。以下、この情報を受け入れた通信装置３０を支援モード側通信装置３０と呼び、浸水時処理を行っている制御部３１を含む通信装置３０を浸水時モード側通信装置３０と呼んで区別する。
【００１８】
浸水時モード側通信装置３０の制御部３１は、支援モード側通信装置３０に対して、情報記憶部３２に格納されていた情報を出力し終えると、シャットダウン処理を実行し、電源を切断して浸水時モード側の通信装置３０の動作を停止制御する。これにより、万が一浸水量が多くなり、浸水時モードとなった通信装置３０の一部が水没したとしても、短絡等によって機器自体が焼損することを防止できる。
【００１９】
また支援モード側通信装置３０の制御部３１は、浸水時モード側通信装置３０の制御部３１から入力される情報を情報記憶部３２に格納して、浸水時モード側通信装置３０が本来行うべきであった通信処理を継続して行う。なお、支援モード側通信装置３０は、浸水時モード側通信装置３０から各種通信パラメータを受け入れて、当該通信パラメータを用いて通信処理を継続することとしてもよい。
【００２０】
次に本実施の形態の基地局装置の動作について説明する。ケース１０の外壁のうち、格納室１２のうち一つ（以下、浸水格納室と呼ぶ）に対応する位置で、ケース１０と蓋部との間の目地を防水するためのガスケットが欠損した場合に、基地局装置が雨にさらされた結果、当該欠損部分から基地局筐体内部に浸水があったとする。この浸水格納室１２の内部には雨水がその下部から貯留し始めて、水センサ４０に水面が接すると、水センサ４０が浸水していることを表す信号を発する。
【００２１】
このとき、他の格納室１２と、この浸水格納室１２との間は隔壁１１ａ等によって互いに水密の構造となっているので、他の格納室１２に対する浸水はない。
【００２２】
浸水格納室１２内に格納されている通信装置３０は、浸水時モードとなって、予め自らに固有に割当てられている機器番号など、当該通信装置３０や基地局装置を特定する情報とともに、浸水が発生していることを報知する信号を公衆回線側に送信する。これにより電話局側で浸水の発生を知ることができるようになる。
【００２３】
また、この浸水時モードとなった通信装置３０は、同一筐体内の他の通信装置３０に対して支援要求信号を送出する。他の通信装置３０は、この支援要求信号を受け入れると、支援可能との応答を行う。このとき、最初に支援可能との応答を行った通信装置３０に対して、浸水時モードとなった通信装置３０が支援モードとなるよう要求する。
【００２４】
浸水時モードとなった通信装置３０の制御部３１は、支援モードとなった通信装置３０の制御部３１に対して情報記憶部３２に格納されている情報を出力する。支援モードとなった通信装置３０は、この情報を受け入れて、情報記憶部３２に格納し、当該情報に係る通信を継続する。
【００２５】
なお浸水時モードとなった通信装置３０の制御部３１は、例えば１つのパケットの送信中に浸水時モードとなったときには、パケットの途中であっても通信を中断して、当該パケットに係る情報を他の通信装置３０に出力し、支援モードとなった他の通信装置３０側で、当該パケットを再送することとしてもよい。
【００２６】
浸水時モードとなった通信装置３０の制御部３１は、シャットダウンの処理を行って電源を切断する。なお、支援モードとなる通信装置３０は、予め冗長な構成として配備されているものであってもよい。すなわち、予備の通信装置３０を設置しておき、通常は当該予備の通信装置３０は使わずに、他の通信装置３０が浸水時モードとなったときに、当該予備の通信装置３０が支援モードとなるようにしておいてもよい。
【００２７】
また、ここでは浸水時モードとなった通信装置３０の制御部３１が当該通信装置３０の停止制御を行っているが、例えば回路要素５０内に通信装置３０の停止制御を行わせるための制御装置を設けてもよい。また、浸水時モード側通信装置３０は回路要素５０を介して支援モード側通信装置３０へと情報を送出するようにすればよい。
【図面の簡単な説明】
【００２８】
【図１】本発明の実施の形態に係る基地局装置の筐体の一部を表す説明図である。
【図２】本発明の実施の形態に係る基地局装置における通信装置の構成ブロック図である。
【符号の説明】
【００２９】
１０  ケース、１１  隔壁、１２  格納室、３０  通信装置、３１  制御部、３２  情報記憶部、３３  プログラム記憶部、３４  通信部、４０  水センサ、５０  回路要素。
【図１】
2005197284.tif 000003
【図２】
2005197284.tif 000004